(57)【要約】【課題】センターミラーとサイドミラーとの干渉を防止するため、互いの間隔を大きくする必要があった。【解決手段】センターミラー７０とサイドミラー８０が隣接するセンター収納棚７５の閉状態において、ランナー５０ａの走行軸５１は停止部４０ｂの最後方位置に係合する。閉状態からセンターミラー７０を幅方向にスライドさせてセンター収納棚７０を開放させる際には、ランナー５０ａの走行軸５１は停止部の最後方位置から同停止部の直線部４０ｂ２を前方に向かって進行することとなる。このとき、センターミラー７０の端部は隣接するサイドミラー７０の端部に接近することがないため、これらが互いに干渉することはない。従って、センターミラー７０とサイドミラー８０との間隔を狭くすることが可能となるため、センターミラー７０とサイドミラー８０との一体性を向上させることができる。【選択図】  図１１
2004357964.tif 000002
【特許請求の範囲】
【請求項１】
略鉛直に立設されるミラーキャビネットと、上記ミラーキャビネットの前面側において幅方向に隣接させて配設される略矩形板状のセンターミラーと右サイドミラーおよび左サイドミラーと、上記ミラーキャビネットにおいて前面側が開放するとともに、上記センターミラーに前面側から覆い隠され閉状態となる収納部とを具備する洗面化粧台において、
上記センターミラーは、同センターミラーの背面側に備えられるランナーと、上記ランナーが走査可能に係合するレールとにより、スライド可能に上記ミラーキャビネットに支持されるとともに、
上記レールは、上記ランナーの走査方向が上記センターミラーの幅方向となる直線状のスライド部と、上記収納部が閉状態となる停止位置にて上記ランナーを位置決め停止させるための停止部を具備し、
上記停止部は、前方端部にて上記スライド部と接続しつつ、後方側に屈曲部を配する略Ｖ字状部と、同略Ｖ字状部の屈曲部から後方に延設された直線部とで構成され、同直線部の最後方位置にて上記ランナーが係合するとき上記収納部が閉状態となることを特徴とする洗面化粧台。
【請求項２】
上記センターミラーと上記右サイドミラーと上記左サイドミラーは、全て上下端面の高さが等しく、前面側の奥行き位置が全て一致し、上記右サイドミラーと上記左サイドミラーは、ともに上記センターミラーの略半分の幅を有するとともに、
上記センターミラーの背面上端における幅方向の略両端位置に左右一対の上側の上記ランナーを配設しつつ上記センターミラーの背面下部の幅方向中央に下側の上記ランナーを一個配設し、
上記ミラーキャビネットには、上側の上記ランナーおよび下側の上記ランナーに対応させて上記停止部がそれぞれ設けられ、同停止部の前方端部にて同停止部とそれぞれ接続する上記スライド部を上下並行させて配設し、
上側の上記ランナーは、アーム部と、略鉛直平面状の取り付け部と、略円柱状の走行軸とから構成される側面視で下方に開口する略コの字状となっており、前面側の上記取り付け部にて上記センターミラーの背面に接合し、後方側の上記走行軸の下端にて上記レールに係合し、
上記ランナーが上記スライド部を走査するとき、上側の上記ランナーの上記取り付け部は上記右サイドミラーと上記左サイドミラーの前方を通過し、上側の上記ランナーの上記アーム部は上記右サイドミラーと上記左サイドミラーの上端面の上方を通過することにより、
上記センターミラーは、同センターミラーの右端面を上記右サイドミラーの右端面と概略一致させるまで幅方向右側にスライド可能であり、同センターミラーの左端面を上記左サイドミラーの左端面と概略一致させるまで幅方向左側にスライド可能であることを特徴とする請求項１に記載の洗面化粧台。
【請求項３】
下側の上記ランナーは上記センターミラーの下端から突出しないように配設することを特徴とする請求項２に記載の洗面化粧台。
【発明の詳細な説明】
【０００１】
【発明の属する技術分野】
本発明は、洗面化粧台に関し、特に、センターミラーの背面に収納棚等の収納部が備えられる洗面化粧台に関する。
【０００２】
【従来の技術】
従来、この種の洗面化粧台として、洗面ミラーの幅方向端部に蝶番を備えたものが知られている（例えば、特許文献１参照。）。
かかる構成により洗面ミラーの幅方向端部の上記蝶番にて上記洗面ミラーを回動開きさせることにより、収納棚を前面側に開放させることが可能となっている。
また、収納棚の開扉機構として、扉が幅方向にスライドする扉装置が知られている（例えば、特許文献２参照。）。
【特許文献１】
特開２００２−３２０５２１号公報
【特許文献２】
特開平９−４１７８７号公報
【０００３】
【発明が解決しようとする課題】
前者の洗面化粧台においては、上記洗面ミラーを回動開きさせる際の自由端が使用者の前方側を通過することとなるため、使用者が立つ位置などとの関係から回動開きさせるミラーの大型化が困難であり、センターミラーの様な比較的大型のミラーに回動開きの構成を適用することは難しかった。さらに、回動開きさせる際には蝶番によって片持ち支持する構造となるため、重量となる大型のセンターミラーには適用し難いという課題があった。
【０００４】
後者の扉装置においては、扉板を斜め前方に移動させることにより、その後は隣接する扉板に干渉することなく幅方向にスライドすることが可能となっている。しかしながら、扉板が隣接する状態から斜め前方に移動するため、当該扉板は隣接する扉板と前後方向にずれつつも、幅方向には隣接する扉板に接近することとなっていた。従って、この際に当該扉板は隣接する扉板に干渉しやすく、この干渉を避けるために隣接する扉板同士の間隔を広く取る必要があった。本扉装置を洗面化粧台に適用するにあたっては、扉板となる洗面ミラーの隣接する間隔を広くする必要があるため、隣接する複数の洗面ミラーの一体性が損なわれるという課題もあった。
本発明は、上記課題にかんがみてなされたもので、大型のセンターミラーに適用しても無理なく開閉することができ、センターミラーに隣接するミラーとの間隔を狭くすることができる洗面化粧台の提供を目的とする。
【０００５】
【課題を解決するための手段】
上記目的を達成するため、請求項１にかかる発明は、略鉛直に立設されるミラーキャビネットと、上記ミラーキャビネットの前面側において幅方向に隣接させて配設される略矩形板状のセンターミラーと右サイドミラーおよび左サイドミラーと、上記ミラーキャビネットにおいて前面側を開放するとともに、上記センターミラーに前面側から覆い隠され閉状態となる収納部とを具備する洗面化粧台において、
上記センターミラーは、同センターミラーの背面側に備えられるランナーと、上記ランナーが走査可能に係合するレールとにより、スライド可能に上記ミラーキャビネットに支持されるとともに、
上記レールは、上記ランナーの走査方向が上記センターミラーの幅方向となる直線状のスライド部と、上記収納部が閉状態となる停止位置にて上記ランナーを位置決め停止させるための停止部を具備し、上記停止部は、前方端部にて上記スライド部と接続しつつ、後方側に屈曲部を配する略Ｖ字状部と、同略Ｖ字状部の屈曲部から後方に延設された直線部とで構成され、同直線部の最後方位置にて上記ランナーが係合するとき上記収納部が閉状態となる構成としてある。
【０００６】
上記のように構成した請求項１の発明において、略鉛直に立設された上記ミラーキャビネットの前面側には、略矩形板状のセンターミラーと右サイドミラーおよび左サイドミラーが幅方向に隣接させて配設され、同ミラーキャビネットの同センターミラーの背面側には前面側が開放する上記収納部が形成される。すなわち、上記収納部は前面側が開放するものの、上記センターミラーの背面側に位置するため前面側が上記センターミラーにより覆われて閉状態となる。
【０００７】
上記センターミラーは、同センターミラーの背面側に備えられる上記ランナーと、上記レールとにより、上記ミラーキャビネットに連結支持される。上記ランナーは上記レールに対して走査可能に係合するため、上記センターミラーは上記ミラーキャビネットに対して移動可能となる。上記レールには上記ランナーが幅方向に走査可能な直線状のスライド部が備えられるため、上記センターミラーは幅方向に直線的にスライドすることが可能となる。
【０００８】
上記収納部が閉状態となるように、すなわち上記センターミラー、上記右サイドミラーおよび上記左サイドミラーが幅方向に隣接するように、上記センターミラーを位置決め停止させるために、上記レールには上記ランナーを位置決め停止させる停止部が設けられる。上記停止部は、後方側に屈曲部を配する略Ｖ字状部と、同略Ｖ字状部の屈曲部から後方に延設された直線部とで構成される。上記略Ｖ字状部は、同略Ｖ字状部の前方端部にて上記スライド部と接続される。そして、上記収納部が閉状態となるとき上記ランナーは上記直線部の最後方位置にて係合する。従って、上記略Ｖ字状部の前方端部と上記屈曲部との間においては上記ランナーは上記センターミラーの幅方向に対して勾配のある方向に進行することとなる。すると、上記センターミラーの幅方向とは異なる方向に上記センターミラーが進行するため、使用者は上記ランナーが上記停止位置に近いことを認知しやすい。上記スライド部から上記直線部まで移行する際の、進行方向の変更が急激なものとならず、スムーズに移行することができる。
【０００９】
また、上記収納部が閉状態となる位置から上記ランナーを上記スライド部に走査させるにあたり、上記ランナーは上記直線部を前方に向かって進行する。このとき、上記センターミラーも前方に進行するため、隣接する上記右サイドミラーおよび上記左サイドミラーに対して幅方向に接近することなく、前後方向にずれることができる。従って、上記センターミラー、上記右サイドミラーおよび上記左サイドミラー同士が幅方向に隣接する間隔が狭くても互いに干渉することが防止できる。
【００１０】
また、請求項２にかかる発明は、上記センターミラーと上記右サイドミラーと上記左サイドミラーは、全て上下端面の高さが等しく、前面側の奥行き位置が全て一致し、上記右サイドミラーと上記左サイドミラーは、ともに上記センターミラーの略半分の幅を有するとともに、上記センターミラーの背面上端における幅方向の略両端位置に左右一対の上側の上記ランナーを配設しつつ上記センターミラーの背面下部の幅方向中央に下側の上記ランナーを一個配設し、上記ミラーキャビネットには、上側の上記ランナーおよび下側の上記ランナーに対応させて上記停止部がそれぞれ設けられ、同停止部の前方端部にて同停止部とそれぞれ接続する上記スライド部を上下並行させて配設し、上側の上記ランナーは、アーム部と、略鉛直平面状の取り付け部と、略円柱状の走行軸とから構成される側面視で下方に開口する略コの字状となっており、前面側の上記取り付け部にて上記センターミラーの背面に接合し、後方側の上記走行軸の下端にて上記レールに係合し、上記ランナーが上記スライド部を走査するとき、上側の上記ランナーの上記取り付け部は上記右サイドミラーと上記左サイドミラーの前方を通過し、上側の上記ランナーの上記アーム部は上記右サイドミラーと上記左サイドミラーの上端面の上方を通過することにより、上記センターミラーは、同センターミラーの右端面を上記右サイドミラーの右端面と概略一致させるまで幅方向右側にスライド可能であり、同センターミラーの左端面を上記左サイドミラーの左端面と概略一致させるまで幅方向左側にスライド可能である構成としてある。
【００１１】
上記のように構成した請求項２の発明において、上記収納部が閉状態となるとき、上記センターミラーと上記右サイドミラーと上記左サイドミラーの全ての上端面の高さが等しく、前面側が全て同一面上に位置するため、同センターミラー、右サイドミラー、左サイドミラー全体としてまとまった形状とすることができる。上記センターミラーの背面側には上記ランナーが三個配設され、そのうち二個は上記センターミラーの上端の幅方向両端部にそれぞれ配設される。一方、上記センターミラーの背面下部の幅方向中央にもう一個の上記ランナーが配設される。そして、上側に備えられた二個の上記ランナーに係合可能な上記レールが上記ミラーキャビネットに備えられる。上側の上記レールには二個の上記ランナーが係合するため、これらを上記収納部が閉状態となるように停止されるための停止部も二個接続される。下側の上記ランナーが係合可能な下側の上記レールも上記ミラーキャビネットに備えられ、下側の上記ランナーに対応して上記停止部が一個接続されている。また、上側の上記レールの上記スライド部と、下側の上記レールの上記スライド部とは互いに平行となる。従って、上側の上記ランナーと下側の上記ランナーは互いに高さ方向の間隔を一定に保ちつつ移動することができる。上記センターミラーは全てが一直線状にない三個の上記ランナーによって上記ミラーキャビネットに支持されるため、がたつき難く安定して移動することができる。また、最低限の上記ランナーの配設個数で済むため上記センターミラーの着脱作業が煩雑なものとならない。
【００１２】
上側の上記ランナーは、側面視において下方に開口する略コの字状に形成され、前方部分を構成する略鉛直平面状の上記取り付け部にて上記センターミラーの背面に接合する。後方部分を構成する略円柱状の上記走行軸は下端にて上記レールに係合する。上記取り付け部と上記走行軸の上方部分にて上記アーム部が上記取り付け部と上記走行軸とを前後方向に所定の間隔を形成しつつ連結することにより、上記ランナーは略コの字状となる。すなわち、上記センターミラーを上記ミラーキャビネットに対して前方側に上吊り状態で支持することが可能となる。上記ランナーが上記スライド部を走査するときには、上側の上記ランナーの上記取り付け部は上記右サイドミラーと上記左サイドミラーの前方を通過するため、上記取り付け部より前方にある上記センターミラーは上記右サイドミラーおよび上記左サイドミラーに干渉することはない。上側の上記ランナーの上記アーム部は上記右サイドミラーと上記左サイドミラーの上端面の上方を通過するため、上記センターミラーの上記ランナーが上記右サイドミラーおよび上記左サイドミラーに干渉することはない。
【００１３】
上記センターミラーは、同センターミラーの右端面を上記右サイドミラーの右端面と概略一致させるまで幅方向右側にスライド可能である。上記右サイドミラーの幅は上記センターミラーの略半分とされているため、上記収納部が閉状態となるときから上記センターミラーの右端面を上記右サイドミラーの右端面と概略一致させるまでの移動距離は上記センターミラーの幅の略半分となる。すなわち、このとき上記センターミラーの左端は上記収納部の幅方向略中央に位置し、同収納部の幅方向左半分を前面側に開放させることができる。反対に、上記センターミラーの左端面を上記左サイドミラーの左端面と概略一致させるとき、上記収納部の幅方向右半分を前面側に開放させることができる。従って、左右半分ずつを開放させることが可能であり、全体にわたって収納物の出し入れが可能となる。また、上記センターミラーは上記右サイドミラーと上記左サイドミラーより外側に移動しないため、本発明にかかる洗面化粧台を設置する際に上記センターミラーの移動量を考慮する必要がなくて済む。
【００１４】
一方、上記センターミラーの幅方向略中央に配設された下側の上記ランナーは、上記センターミラーが幅方向に同センターミラーの幅の略半分移動するとき、上記右サイドミラーの左端部または上記左サイドミラーの右端部に丁度位置することとなる。従って、この範囲で移動するにあたって下側の上記ランナーが上記右サイドミラーおよび上記左サイドミラーに干渉してしまうことはない。
【００１５】
さらに、請求項３にかかる発明は、下側の上記ランナーは上記センターミラーの下端から突出することがないように配設する構成としてある。
上記のように構成した請求項３の発明において、下側の上記ランナーは上記センターミラーの下端から突出することがないように配設されるため、上記ランナーおよび上記レールが使用者の目線の高さに近く比較的目に付き易い上記センターミラーの下端から突出することがなく見栄えをよくすることができる。また、上記センターミラーが移動して下側の上記ランナーが上記右サイドミラーの左端部または上記左サイドミラーの右端部に位置するとき、下側の上記ランナーは上記右サイドミラーの左端面または上記左サイドミラーの右端面に当接する。すなわち、下側の上記ランナーを、上記センターミラーの幅方向のスライド可能範囲を規制するストッパーとして機能させることができる。
【００１６】
【発明の効果】
以上説明したように、請求項１にかかる発明によれば、上記センターミラーと上記右サイドミラーと上記左サイドミラーとが幅方向に隣接する間隔を狭めることができ、鏡面全体として一体性の高い洗面化粧台を提供することができる。
請求項２にかかる発明によれば、上記収納部全体において収納物の出し入れが可能となるとともに、上記センターミラーの取り付け作業を簡易化させることができる。
請求項３にかかる発明によれば、見栄えのよい洗面化粧台を提供することができる。
【００１７】
【発明の実施の形態】
（１）センターミラーの動作：
（２）センターミラーの取り付け構造：
（３）まとめ：
【００１８】
（１）センターミラーの動作：
図１は、本発明にかかる洗面化粧台を斜めから見て示している。同図において、洗面化粧台１０は大きくベースキャビネット１１とミラーキャビネット３０とにより構成されている。ベースキャビネット１１は底面にて接地し、上面のカウンターには、左右一対の洗面ボウル１２ａ，１２ｂが設けられている。ベースキャビネット１１の前面側には、引き出し１１ａ，１１ｂ，１１ｃ，１１ｄ，１１ｅが備えられそれぞれに備えられた取っ手を掴んで手前に引くことにより、前方にスライドし収納物の出し入れが可能となっている。ベースキャビネット１１の上面のカウンターであって洗面ボウル１２ａ，１２ｂの奥方には、水栓１３ａ，１３ｂが備えられ水や湯を供給している。
【００１９】
さらに、水栓１３ａ，１３ｂの奥にはミラーキャビネット３０が鉛直に立設されている。ミラーキャビネット３０の前面には、左から順に左サイドミラー６０とセンターミラー７０と右サイドミラー８０とが鉛直に正立させて保持されている。左サイドミラー６０とセンターミラー７０と右サイドミラー８０は矩形板状に形成されており、それぞれ上端面と下端面が水平に配向しつつ、左右の端面は鉛直に配向している。左サイドミラー６０、センターミラー７０および右サイドミラー８０は、幅方向に隣接して保持されており、前面側の奥行き方向の位置は全て一致させられているため、全体として一面の鏡面を形成している。ミラーキャビネット３０の左サイドミラー６０とセンターミラー７０と右サイドミラー８０より下の部分は厚みが薄く形成された中間棚９０が備えられており、同中間棚９０は、前方に備えられる四枚の引き戸９０ａ，９０ｂ，９０ｃ，９０ｄにより開閉させられる。左サイドミラー６０、センターミラー７０、右サイドミラー８０の上端面はミラーキャビネット３０の天板とほぼ同じ高さとされ、下端面は中間棚９０の上端とほぼ同じ高さとなっている。ミラーキャビネット３０の上方には照明ユニット１４および上方棚１５がそれぞれ備えられている。
【００２０】
図２は、左サイドミラー６０、センターミラー７０、右サイドミラー８０を取り外した状態のミラーキャビネット３０を斜めから見て示している。同図において、ミラーキャビネット３０は所定の厚みを有しており、左サイドミラー６０、センターミラー７０、右サイドミラー８０それぞれの背面側には、収納部としての左収納棚６５、センター収納棚７５、右収納棚８５が形成されている。左収納棚６５、センター収納棚７５、右収納棚８５は、ミラーキャビネット３０の天板３０ａを共通の天板としており、ミラーキャビネット３０の水平面３０ｂを共通の底板としている。また、天板３０ａと水平面３０ｂは、幅方向、奥行き方向が同じ長さに形成され、左収納棚６５、センター収納棚７５、右収納棚８５の前方側の端面は全て鉛直方向に配向されている。
【００２１】
左収納棚６５の右端部には上下一対の蝶番６５ａ，６５ｂの固定片が軸を鉛直方向にして取り付けられている。そして、蝶番６５ａ，６５ｂの回転片を左サイドミラー６０の右端部に接合することにより、左サイドミラー６０を内側に回動させて開閉させることが可能となっている。同様に、右サイドミラー８０も上下一対の蝶番８５ａ，８５ｂにより、内側に回動可能にミラーキャビネット３０に連結されている。従って、左サイドミラー６０、右サイドミラー８０をともに内側に開放させれば、左サイドミラー６０、センターミラー７０、右サイドミラー８０が内側に対向するため、三面鏡としての使用が可能となっている。センターミラー７０の幅は、左サイドミラー６０および右サイドミラー８０の幅の略二倍に形成されており。同様に、センター収納棚７５の幅は、左収納棚６５および右収納棚８５の幅の略二倍に形成されている。
【００２２】
図３は、センターミラー７０を右方向にスライドさせた状態を斜めから見て示している。同図において、センターミラー７０は、右方向にスライドして同センターミラー７０の右側端面を右サイドミラー８０の右側端面と概略一致させている。このとき、センターミラー７０の左側端面は、センター収納棚７５の幅方向略中央に位置している。従って、センター収納棚７５の幅方向左側が前方に開放した開状態となっている。また、センターミラー７０は、センターミラー７０および右サイドミラーの厚みより大きく前方に引き出されつつ右方向にスライドするため、センターミラー７０は右サイドミラーより前面側に位置し、互いに干渉していない。
【００２３】
図４は、センターミラー７０を左方向にスライドさせた状態を斜めから見て示している。同図において、センターミラー７０は、左方向にスライドして同センターミラー７０の左側端面を、左サイドミラー８０の左側端面と概略一致させている。従って、同様にセンター収納棚７５の幅方向右側が前方に開放した開状態となっている。また、センターミラー７０は、センターミラー７０および左サイドミラーの厚みより大きく前方に引き出されつつ左方向にスライドするため、センターミラー７０は左サイドミラーより前面側に位置し、互いに干渉していない。
【００２４】
かかる構成により、センター収納棚７５の全体にわたって収納物の出し入れが可能となる。すなわち、センターミラー７０を右方向にスライドさせたときセンター収納棚７５の左側半分を開放することができるとともに、センターミラー７０を左方向にスライドさせたときセンター収納棚７５の右側半分を開放することができるため、センター収納棚７５の全体にわたって開放させることが可能となる。また、センターミラー７０が、ミラーキャビネット３０の幅方向外側にスライドすることを要しないため、設置する際にセンターミラー７０のスライド分に配慮して洗面化粧台１０の側方にスペースを確保しておく必要はない。
【００２５】
（２）センターミラーの取り付け構造：
図２において、ミラーキャビネット３０の天板３０ａ上には上レール４０が配設されており、左収納棚６５、センター収納棚７５、右収納棚８５の底面に相当するミラーキャビネット３０の水平面３０ｂの下方には下レール４１が配設されている。上レール４０は、一直線状に形成されたスライド部４０ａが設けられ、センターミラー７０の幅方向に配向している。スライド部４０ａの前方の側面は、天板３０ａの前方端面よりわずかに後方に位置している。
【００２６】
天板３０ａ上の幅方向におけるセンター収納棚７５の両端より所定量内側には、左右同一形状の略Ｙ字状の停止部４０ｂ，４０ｃが配設されている。停止部４０ｂ，４０ｃは、同停止部４０ｂ，４０ｃの前方の端部にてスライド部４０ａとそれぞれ接続している。図５は、停止部４０ｂを上方から見て示している。同図において、停止部４０ｂは、略Ｖ字状部４０ｂ１と、同略Ｖ字状部４０ｂ１の屈曲部からさらに後方に延設された直線部４０ｂ２とで構成されている。略Ｖ字状部４０ｂ１の屈曲角は６０度に形成されており、この屈曲部の内側には、ローラーベアリング４０ｂ３が設けられている。同ローラーベアリング４０ｂ３は、鉛直軸により水平方向に回転可能となっている。
【００２７】
また、同図において上レール４０の断面を示している。同断面図において、上レール４０は、底面および二側面により構成され、略コの字状の断面となる樋状となっている。また、上レール４０は、底面を天板３０ａに接合させることにより、上方に開口している。上レール４０の底面から所定の高さにおいて、側面を内側に向けて延出させることにより一対の凸部４０ｄ１，４０ｄ２が形成されており、この凸部４０ｄ１，４０ｄ２が対向する部分のみ、他の部分より樋幅が細い細幅部４０ｄ３が形成されている。また、ローラーベアリング４０ｂ３にも、凸部４０ｄ１，４０ｄ２に相当する広径部が形成されている。また、凸部４０ｄ１，４０ｄ２の内側方向先端は、下方向に幅広に形成されている。停止部４０ｂには樋部の底面を外側に延設して取り付け面４０ｂ４が平面状に形成されており、同取り付け面４０ｂ４がボルト４２ａ，４２ｂによりミラーキャビネット３０に固定されている。一方、スライド部４０ａは樋部の底面にてネジ４３ａ，４３ｂによりネジ止め固定されている。
【００２８】
一方、図２において下レール４１は、スライド部４１ａと停止部４１ｂとで構成されている。スライド部４１ａは、センター収納棚７５の幅方向と同じ長さに形成されており、センター収納棚７５の幅方向左端とスライド部４１ａの左端を一致させつつ、センター収納棚７５の幅方向右端とスライド部４１ａの右端を一致させる位置に配設されている。停止部４１ｂは、センター収納棚７５の幅方向中央に配設されている。停止部４１ｂは、上レール４０の停止部４０ｂ，４０ｃと同じものであり、下レール４１のスライド部４１ａは上レール４０のスライド部４０ａと長さが異なるのみで、他の形状は同一となっている。ただし、配設方向が上下逆となっているため、下側に開口する樋状となっている。
【００２９】
下レール４１のスライド部４１ａの前方側面も、水平面３０ｂの前方端面よりわずかに後方に位置している。従って、下レール４１のスライド部４１ａは、上レール４０のスライド部４０ａの奥行き方向の位置は一致する。また、天板３０ａと水平面３０ｂはともに水平とされているため、下レール４１のスライド部４１ａと上レール４０のスライド部４０ａは互いに平行となっている。
【００３０】
図６は、センターミラー７０の背面を見て示している。同図においてセンターミラー７０の背面側には所定の厚みを有する矩形板状のセンター支持板７１が備えられており、同センター支持板７１は前面側にてセンターミラー７０を保持しつつ、背面側にて二個の上ランナー５０ａ，５０ｂおよび一個の下ランナー５５と接合している。上ランナー５０ａ，５０ｂはセンター支持板７１の上端面の左右両端から所定量内側の位置に配設され、上方部分が同上端面から上方に突出している。一方、下ランナー５５は、センター支持板７１の背面の幅方向略中央であって、センター支持板７１の下端面から突出しないように所定量上方の位置に配設されている。
【００３１】
ここで、停止部４０ｂ，４０ｃ，４１ｂの配設位置は、上ランナー５０ａ，５０ｂおよび下ランナー５５の配設位置に対応している。すなわち、本発明にいうセンター収納棚７５の閉状態において、停止部４０ｂ，４０ｃ，４１ｂのそれぞれの直線部の最後方位置に、後に詳述する上ランナー５０ａ，５０ｂ，下ランナー５５の走行軸が係合する位置となっている。なお、センター収納棚７５の閉状態においては、センターミラー７０が右サイドミラー８０および左サイドミラー６０と幅方向に隣接し、前面側の奥行き位置が一致する。
【００３２】
図７は、上ランナー５０を側方から見て示している。なお、上ランナー５０ａ，５０ｂとして左右同じものを使用している。同図において、上ランナー５０は側面視略コの字状に形成されており、開口を鉛直下方に配向させている。すなわち、上ランナー５０ａは、走行軸５１と取り付け部５２とが所定の間隔をもって互いに平行に対向しており、アーム部５３がこれらと直交しつつ接合している。取り付け部５２は平面板状となっており、センター支持板７１に面接しつつネジ止め穴５２ａ１〜５２ａ３によりネジ止め固定される。従って、アーム部５３は、センター支持板７１に対して垂直となり、走行軸５１はセンター支持板７１に対して略平行となる。略円柱状の走行軸５１の軸方向の一端には上レール４０と係合するための係合部５１ａが設けられており、係合部５１ａとは反対側の一端がアーム部５３に設けられた貫通穴５３ａ１を外側に向けて貫通しつつ、外側からナット５４により固定されている。
【００３３】
また、走行軸５１は軸方向が鉛直となっており、係合部５１ａが下向きに配向されている。係合部５１ａにおける軸方向先端部は、軸方向に所定の高さを有する円柱状の先端部５１ａ１が形成されている。さらに、同先端部５１ａ１の軸方向内側に隣接して環状ベアリング５１ａ２が設けられており、同環状ベアリング５１ａ２は内径を係合部５１ａの軸部によって遊挿されることで、走行軸５１に垂直かつ水平方向に回転可能となるように保持されている。
【００３４】
図８は、下ランナー５５を側方から見て示している。同図において、下ランナー５５は上ランナー５０ａ，５０ｂを上下反転させた側面視略コの字状に形成されており、開口を鉛直上方に配向させている。下ランナー５５の走行軸５６の係合部５６ａは上方に配向している。また、走行軸５６は、下方からナット５９を締め付けることによりアーム部５７ｂと接合固定されている。また、アーム部５８を覆うように軟らかい緩衝カバー５８ａ２が取り付けられている。
【００３５】
図９は、センター収納棚７５が閉状態となるときのミラーキャビネット３０の断面を左側から見て示している。同図において、上ランナー５０ａの係合部５１ａは、上レール４０の停止部４０ｂの直線部４０ｂ２の最後方位置にて上レール４０に係合している。アーム部５３の奥行き方向の長さは停止部４０ｂの奥行き方向の長さとほぼ同等に形成されているため、このとき取り付け部５２はミラーキャビネット３０の前面に近接する。上ランナー５０ａは、上部がセンターミラー７０の上端面から上方に突設されるため、アーム部５３は、センターミラー７０の上端面より高い位置となっている。なお、図示されないが上ランナー５０ｂについても上ランナー５０ａと同じ態様となっている。
【００３６】
一方、下ランナー５５は、下レール４１の停止部４１ｂの直線部４０ｂ２の最後方位置にて下レール４１に係合している。センターミラー７０およびセンター支持板７１は、中間棚９０の上部まで高さ方向下方に突出しているため、水平面３０ｂに備えられた下レール４１と係合している下ランナー５５は、センターミラー７０およびセンター支持板７１の下端面より所定量上方に配設されている。なお、本図の状態において、センター支持板７１の前面と右支持板８１の前面および左支持板６１の前面の位置が奥行き方向に一致している。また、図示されないが上ランナー５０ｂは停止部４０ｃに係合している。
【００３７】
図１０は、センター収納棚７５が開放されるときのミラーキャビネット３０の断面を左側から見て示している。同図においては、上ランナー５０ａ，５０ｂは、上レール４０のスライド部４０ａを走査しており、下ランナー５５は、下レール４１のスライド部４１ａを走査している。このとき、図９において示した閉状態より、上ランナー５０ａ，５０ｂ、下ランナー５５、センター支持板７１およびセンターミラー７０は前方に位置している。すなわち、停止部４０ｂ，４０ｃ，４１ｂの奥行き方向の長さ分だけ前方に移動している。
【００３８】
本状態における上レール４０の断面を見ると、先端を鉛直下方に配向させた係合部５１ａは、上方に開口する上レール４０の凸部４０ｄ１，４０ｄ２の上面に環状ベアリング５１ａ２を当接させるまで進入している。先端部５１ａ１は細幅部４０ｄ３より奥部に進入するものの、先端部５１ａ１の先端は底面まで到達せず隙間が形成されている。そして、この隙間において、上レール４０をミラーキャビネット３０の天板３０ａに固定するためのネジ４３ａの頭部が先端部５１ａ１と干渉することなく上方に突出している。
【００３９】
すなわち、上レール４０の凸部４０ｄ１，４０ｄ２は、係合部５１ａの先端部５１ａ１の高さより底面から高い位置に形成されている。一方、細幅部４０ｄ３の幅は、先端部５１ａ１の径より大きく、環状ベアリング５１ａ２の外径より小さいとともに、細幅部４０ｄ３以外の樋幅は環状ベアリング５１ａ２の外径より大きく形成されている。同様に他のランナー５０ｂ，５５も他の停止部４０ｂ，４１ｂに係合部を係合させている。
【００４０】
かかる構成により、センター支持板７１およびセンターミラー７０をミラーキャビネット３０に上吊り状態で支持することが可能となる。センター支持板７１には、センター支持板７１およびセンターミラー７０の自重により下方に荷重がかかることとなるが、凸部４０ｄ１，４０ｄ２が当接して環状ベアリング５１ａ２を上向きに支持するため、この荷重に対抗することができる。さらに、環状ベアリング５１ａ２は回転可能であるため摩擦抵抗が軽減されて走行軸５１はスムーズに上レール４０内を移動することができる。また、先端部５１ａ１が接触して摩擦抵抗を発生させることもない。
【００４１】
一方、下ランナー５５は、下レール４１に対して係合部５６ａを下方から進入させて係合している。この下ランナー５５と下レール４１の係合部位においては、センター支持板７１およびセンターミラー７０の自重による荷重に対抗することはないが、走行軸５６の軌道を下レール４１の樋内部に規制することができるため、センターミラー７０の姿勢が安定する。すなわち、センターミラー７０を鉛直に正立させたままスライド移動させることができる。センター支持板７１がミラーキャビネット３０を上下から挟み込む態様となるため、センター支持板７１が前方に離脱してしまうこともない。むろん、下ランナー５５と下レール４１との摩擦抵抗も環状ベアリング５６ａ２の作用により軽減されている。
【００４２】
また、下ランナー５５の走行軸５６は下側から螺合するナット５９によりアーム部５７ｂと接合するため、着脱が容易である。従って、センター支持板７１のミラーキャビネット３０に対する着脱も容易となる。すなわち、下ランナー５５の走行軸をアーム部から取り外しておいて、上ランナー５０ａ，５０ｂを上レール４０に係合させ上吊り状態にしてから、下ランナー５５の走行軸をアーム部に取り付ければよい。このとき、ナット５９は、下ランナー５５の外側、すなわち下方側から螺合させればよく、締め付け作業が容易である。また、下ランナーは一個のみであるため、ネジ止め作業は一回で済む。一方、センター支持板７１を取り外す際には、以上の作業と逆の作業をすればよい。
【００４３】
上レール４０および下レール４１をミラーキャビネット３０に接合するにあたっては、レール内部にてネジ止め固定をすることができる。すなわち、上述したようなレールと係合部の形状とすることで、レール内部にてネジ止め固定を行っても、ネジ４３ａの頭部が係合部の走行の妨げとならない。レール内部にてネジ止め固定することが可能であれば、底面に貫通穴を形成すればよく、レールを側方に延設等して取り付け部等を設ける必要はない。また、荷重が及ぼされる凸部４０ｄ１，４０ｄ２に直近の位置にて固定できるため、レールが撓んで走行軌道が不安定となる可能性も低い。
【００４４】
ここで、図９の閉状態から図１０の開状態となるまでの課程を図１１において上面図により模式的に示す。なお、同図においてはセンター支持板７１を右前方に引っ張る外力を与えているものとし、走行軸５１およびセンター支持板７１の端部の軌道を矢印を用いて示している。同図において実線で示す図９の状態においては、センター支持板７１の背面はミラーキャビネット３０に近接するとともに、センターミラー７０の前面は右サイドミラー８０と奥行き方向の位置を一致させている。また、センター支持板７１の右側端部は前方に向かって幅広となる６０度のテーパーが設けられており、わずかな隙間をもって右サイドミラー８０の右支持板８１と幅方向に隣接している。
【００４５】
この状態から、走行軸５１は直線部４０ｂ２を前方に進行する。次に、走行軸５１は、ローラーベアリング４０ｂ３に当接しつつ、同ローラーベアリング４０ｂ３が時計回りに回転することにより略Ｖ字状部４０ｂ１の右辺部に進入する。すると、走行軸５１およびセンター支持板７１の端部は斜め６０度前方に進行する。さらに、略Ｖ字状部４０ｂ１の右辺部の前方端部まで進行すると、同前方端部にて接続されたスライド部４０ａを進行し、走行軸５１およびセンター支持板７１の軌道はセンターミラー７０の幅方向となる。センター支持板７１も走行軸５１の移動に伴って、前方に進行した後に斜め６０度前方に進行し、さらに幅方向に進行することとなる。
【００４６】
以上の動作において、センター支持板７１が、センター支持板７１および右支持板８１の厚みより前方に移動したため、初期においては奥行き方向の位置が同じであったセンター支持板７１と右支持板８１とが、前後にずれた位置関係となる。このように、センター支持板７１と右支持板８１とが前後にずれると、センター支持板７１が幅方向にスライドしても右支持板８１に干渉することはない。従って、センター支持板７１は幅方向にスライドすることが可能となる。すなわち、略Ｖ字状部４０ｂ１と直線部４０ｂ２との奥行き方向の長さをセンター支持板７１、右支持板８１および左支持板６１より大きく形成することで、センター支持板７１は右支持板８１および左支持板６１と干渉することなく幅方向にスライドすることが可能となる。
【００４７】
一方、走行軸５１が右支持板８１の背後までスライド部４０ａを走行すると上ランナー５０ａが右支持板８１と重なる位置関係となるが、図１０に示すように、上ランナー５０ａのアーム部５３は、右支持板８１の十分上方を通過するため、これらが干渉することはない。なお、同図の状態において、図９の閉状態からセンター支持板７１が右方向に移動するため、センター収納棚７５の左側は前面側が開放する開状態となっている。
【００４８】
センター支持板７１の右端部の軌道については、閉状態において右支持板８１とわずかな隙間をもって隣接するが、走行軸５１が直線部４０ｂ２を前方に進行すると同端部は奥方に向かって幅が狭いため、センター支持板７１の端面と右支持板８１の端部との間隔が広げられる。その後、略Ｖ字状部４０ｂ１の右辺部を斜め６０度前方に進行することとなるが、センター支持板７１の端部のテーパー角が６０度であるため、センター支持板７１の端面と右支持板８１の端部との間隔が狭められることはない。従って、以上の動作において、センター支持板７１の端面と右支持板８１の端部を干渉させることなくセンター支持板７１を移動させることができる。
【００４９】
すなわち、このように略Ｖ字状部４０ｂ１と、同略Ｖ字状部４０ｂ１の屈曲部から延設した直線部４０ｂ２を設けることにより、各ミラーの隣接する隙間を小さくすることができるため、より鏡面としての一体感を向上させることができる。走行軸５１が直線部４０ｂ２から略Ｖ字状部４０ｂ１に移行するにあたっては、ローラーベアリング４０ｂ３が回動するためスムーズにいずれかの方向に分岐させることができる。
【００５０】
一方、走行軸５１をスライド部４０ａから略Ｖ字状部４０ｂ１を通過して直線部４０ｂ２に移行させるにあたり、すなわちセンター収納棚７５の左側が前面側を開放した開状態からセンター収納棚７５を閉状態とするにあたり、センター支持板７１を左方向にスライドさせていけば、環状ベアリング５１ａ２の作用により自然に進行方向が斜め後方に変更される。また、同時に進行方向に変化があったことを認識できるため、使用者は停止位置が近いことを認識することができる。従って、スライド速度を緩めつつ、最終的に後方に向かって真っ直ぐセンター支持板７１を押し込むことができる。
【００５１】
以上、センター支持板７１を右側に移動させる動作を例示して説明したが、左側に移動させるときの動作については、上述の動作と左右対称の動作となる。また、上レール４０の停止部４０ｂと上ランナー５０ａの動作を例示して説明したが、図示されない他の上ランナー５０ｂと停止部４０ｃの動作、および下ランナー５５と停止部４１ｂの動作も全く同様である。
【００５２】
ただし、下ランナー５５は、センター支持板７１の幅方向略中央に配設されるため、他の上ランナー５０ａ，５０ｂと右支持板８１および左支持板６１との関係において相違する。以下その関係について説明する。
図１２は、センターミラー７０が移動する際における、各ランナーと右サイドミラー８０および左サイドミラー６０との位置関係を模式的に示している。同図において、上ランナー５０ａは破線で示した閉状態の停止位置から、センターミラー７０が同センターミラー７０の右側端面が右サイドミラー８０の右側端面に概略一致するまで移動したとき、上ランナー５０ａは上述したとおり右サイドミラー８０の上端部に干渉することなく、右サイドミラー８０の右端付近まで移動している。一方、下ランナー５５は右サイドミラー８０の左側側面に当接している。
【００５３】
また、センターミラー７０が同センターミラー７０の左側端面が左サイドミラー６０の左側端面に概略一致するまで移動したとき、上ランナー５０ｂは右サイドミラー６０の左端付近まで移動している。一方、下ランナー５５は左サイドミラー６０の右側側面に当接している。すなわち、下ランナー５５は、センター支持板７１の幅方向略中央に配設されるため、センターミラー７０のスライド可能な範囲において右サイドミラー８０および左サイドミラー６０と干渉することがない。さらに、最大スライド位置にて右サイドミラー８０および左サイドミラー６０と当接するためストッパーとして機能させることができる。特に、本実施形態においては下ランナー５５は緩衝カバー５８を具備させることにより衝撃を和らげている。
【００５４】
下ランナー５５を右サイドミラー８０および左サイドミラー６０と当接させるためには、右サイドミラー８０および左サイドミラー６０の下端面より高い位置に下ランナー５５を配設する必要がある。本実施形態においては、右サイドミラー８０および左サイドミラー６０の下端面と同じ高さのセンター支持板７１の下端面より突出しないように所定量高い位置に下ランナー５５を配設しているため、当接可能となっている。さらに、このようにセンター支持板７１の下端面より突出しないように下ランナー５５を配設することにより、前方側から下ランナー５５が露出しないため、使用者の目線の高さに近く、比較的目に付き易いセンターミラー７０の下端部の見栄えを悪くしない。一方、上ランナー５０ａ，５０ｂは、上方に突出するが、使用者の視線より十分上方であるため目立ちにくくなっている。
センター支持板７１は全てが一直線上にない三点でミラーキャビネット３０に支持されるため、センター支持板７１はがたつくことなく安定して移動することができる。
【００５５】
（３）まとめ：
以上説明したように、本発明にかかる洗面化粧台においては、センターミラーとサイドミラーが隣接するセンター収納棚の閉状態において、ランナーの走行軸は停止部の最後方位置に係合する。閉状態からセンターミラーを幅方向にスライドさせてセンター収納棚を開放させる際には、ランナーの走行軸は停止部の最後方位置から同停止部の直線部を前方に向かって進行することとなる。このとき、センターミラーの端部は隣接するサイドミラーの端部に接近することがないため、これらが互いに干渉することはない。従って、センターミラーとサイドミラーとの間隔を狭くすることが可能となるため、センターミラーとサイドミラーとの一体性を向上させることができる。
【図面の簡単な説明】
【図１】本発明にかかる洗面化粧台の斜視図
【図２】本発明にかかるミラーキャビネットの斜視図
【図３】本発明にかかる洗面化粧台の斜視図
【図４】本発明にかかる洗面化粧台の斜視図
【図５】本発明にかかる上レールの上面図
【図６】本発明にかかるセンターミラーの背面図
【図７】本発明にかかる上ランナーの側面図
【図８】本発明にかかる下ランナーの側面図
【図９】本発明にかかる洗面化粧台を左側方から見た断面図
【図１０】本発明にかかる洗面化粧台を左側方から見た断面図
【図１１】本発明にかかるランナーおよびセンターミラーの動作を示す模式図
【図１２】本発明にかかるランナーおよびセンターミラーの動作を示す模式図
【符号の説明】
１０…洗面化粧台
１１…ベースキャビネット
３０…ミラーキャビネット
４０…上レール
４１…下レール
４３…ネジ
５０ａ，５０ｂ…上ランナー
５２…付け部
５３…アーム部
５４，５９…ナット
５５…下ランナー
５６…走行軸
６０…左サイドミラー
６１…左支持板
６５…左収納棚
７０…センターミラー
７１…センター支持板
７５…センター収納棚
８０…右サイドミラー
８１…右支持板
８５…右収納棚
９０…中間棚
【図１】
2004357964.tif 000003
【図２】
2004357964.tif 000004
【図３】
2004357964.tif 000005
【図４】
2004357964.tif 000006
【図５】
2004357964.tif 000007
【図６】
2004357964.tif 000008
【図７】
2004357964.tif 000009
【図８】
2004357964.tif 000010
【図９】
2004357964.tif 000011
【図１０】
2004357964.tif 000012
【図１１】
2004357964.tif 000013
【図１２】
2004357964.tif 000014